(57)【特許請求の範囲】
【請求項１】
平ラベルを支持してパネル部材にラベルを配設するラベル取付装置であって、パネル部材の同一面に上下に対向して設けられる第１および第２の保持部材と、平ラベルを支持して第１の保持部材と第２の保持部材とに上下両端部が着脱自在に装着される第３の保持部材とからなり、第３の保持部材は可撓性を備えた平板状の立板部分の下部に平ラベルの下端を支持するラベル支持部と第１の保持部材に係合支持される第１の係合部とを備え、上部に抓持部と第２の保持部材に係合する第２の係合部とを備えたことを特徴とするラベル取付装置。
【請求項２】
第３の保持部材は、平板状の立板部分の上部と、抓持部と第２の係合部とを備えた平板状の上板部分とをＬ字状に接続して形成されたことを特徴とする請求項１記載のラベル取付装置。
【請求項３】
第３の保持部材の立板部分の下部がＪ字状に折り返されてラベル支持部が形成されたことを特徴とする請求項１または２記載のラベル取付装置。
【請求項４】
第３の保持部材のラベル支持部が立板部分下部の左右両側に形成されたことを特徴とする請求項１〜３何れかに記載のラベル取付装置。
【請求項５】
第３の保持部材の第１の係合部が立板部分の下部中央に第１の保持部材に対する位置決め手段としての嵌合部を備えて形成されたことを特徴とする請求項１〜４何れかに記載のラベル取付装置。
【請求項６】
請求項１〜５何れかに記載のラベル取付装置が透明前面パネルの裏面に設けられたことを特徴とする自動販売機。
【発明の詳細な説明】
【０００１】
【発明の属する技術分野】
本発明は、例えば自動販売機などの透明な前面パネルの裏面などに販売商品を表示したラベルなどを取り付けるためのラベル取付装置に関するものである。
【０００２】
【従来の技術】
殆どの自動販売機では、購買意欲を喚起するなどの目的で、販売している商品をイメージして作成した絵柄を商品選択ボタン付近に配置している。こうした絵柄は例えば図5に示したように、Ｌ字状に屈曲して形成した表示ラベル１０１Ｘの前面に販売価格などと共に描き、透明な前面パネルの裏側に配設されている。
【０００３】
すなわち、販売商品の絵柄や価格を表示した表示ラベル１０１Ｘの左右両側の下端部から垂設した舌片８Ｌ、８Ｒを、下側に位置するボタン取付部材２０３の上板部分２０４に開設した差込穴４Ｌ、４Ｒに差し込み、上部側の抓持部１２を摘んで上側に位置するボタン取付部材２０３の下板部分２０６のフランジ６に設けた切欠部５に抓持部１２を嵌め込み、この抓持部１２より拡幅形成した係合部１３を切欠部５の両側のフランジ６の前面に、表示ラベル１０１Ｘの弾力を利用して当接係合させることで、取り付けていた。
【０００４】
【発明が解決しようとする課題】
しかし、図5に示した構造のラベル取り付け装置では、販売商品毎に曲げ加工が施された表示ラベルを用意する必要があり、コスト高を招くと共に，予備として自動販売機内に収納する際にもより大きなスペースが必要になると云ったような問題点があり、これら問題点の解決が課題となっていた。
【０００５】
【課題を解決するための手段】
本発明は上記従来技術の課題を解決するため、平ラベルを支持してパネル部材に平ラベルを配設するラベル取付装置において、パネル部材の同一面に上下に対向して設けられる第１および第２の保持部材と、平ラベルを支持して第１の保持部材と第２の保持部材とに上下両端部が着脱自在に装着される第３の保持部材とからなり、第３の保持部材は可撓性を備えた平板状の立板部分の下部に平ラベルの下端を支持するラベル支持部と第１の保持部材に係合支持される第１の係合部とを備え、上部に抓持部と第２の保持部材に係合する第２の係合部とを備えたことを特徴とする第１の構成のラベル取付装置と、
【０００６】
前記第１の構成のラベル取付装置において、第３の保持部材を、平板状の立板部分の上部と、抓持部と第２の係合部とを備えた平板状の上板部分とをＬ字状に接続して形成するようにした第２の構成のラベル取付装置と、
【０００７】
前記第１または第２の構成のラベル取付装置において、第３の保持部材の立板部分の下部をＪ字状に折り返してラベル支持部を形成するようにした第３の構成のラベル取付装置と、
【０００８】
前記第１〜第３何れかの構成のラベル取付装置において、第３の保持部材のラベル支持部を立板部分下部の左右両側に形成するようにした第４の構成のラベル取付装置と,
【０００９】
前記第１〜第４何れかの構成のラベル取付装置において、第３の保持部材の第１の係合部を立板部分の下部中央に第１の保持部材に対する位置決め手段としての嵌合部を備えて形成するようにした第５の構成のラベル取付装置と、
【００１０】
前記第１〜第５何れかの構成のラベル取付装置を、透明な前面パネルの裏面に設けるようにした自動販売機と
を提供するものである。
【００１１】
【発明の実施の形態】
本発明の一実施形態を、図１〜図４に基づいて説明する。なお、これらの図においても理解を容易にするため、前記図５において説明した部分と同じ部分には同一の符号を付した。
【００１２】
図１〜図４に示したラベル取付装置１００は、自動販売機２００の透明な前面パネル２０１の裏面に組み付けられて、購買意欲を喚起するなどの目的で販売商品をイメージして作成した平な表示ラベル１０１を取り付けるためのものである。
【００１３】
この自動販売機用のラベル取付装置１００は、透明な前面パネル２０１の裏面の下側に設置される第１の保持部材１と、その上側に設置される第２の保持部材２と、上下両端部が第１の保持部材１と第２の保持部材２とに着脱自在に係合される第３の保持部材３とから構成されている。
【００１４】
この場合の第１の保持部材１は、前面パネル２０１に商品選択ボタン２０２を取り付けている複数のボタン取付部材２０３の内の、下側に位置するボタン取付部材２０３の上板部分２０４からなる。すなわち、ボタン取付部材２０３は前面パネル２０１の裏面に密着されている立板部分２０５を有し、この立板部分２０５側に片寄せて細長い差込穴４が上板部分２０４に断続的に開設されて第１の保持部材１を形成している。
【００１５】
この場合の第２の保持部材２は、上側に位置するボタン取付部材２０３の下板部分２０６からなる。この下板部分２０６には従来技術で説明したのと同様の切欠部５が、下板部分２０６の後端部から垂設されたフランジ６に上板部分２０４の差込穴４に対応して断続的に形成されている。
【００１６】
第３の保持部材３は、平板状の立板部分７を有し、この立板部分７の下側に上板部分２０４の差込穴４に差し込まれる第１の係合部としての舌片８を備えると共に、この舌片８の左右両側に表示ラベル１０１の下端が挿入されてこれを受け止めるためのラベル支持部９Ｌ、９Ｒを備えている。
【００１７】
この場合のラベル支持部９Ｌ、９Ｒは、立板部分７の下部が前方上方にＪ字状に折り返され、さらにその先端の横側端部１０Ｌ、１０Ｒが後方に折り曲げられて、表示ラベル１０１の左右方向への脱落防止も図られている。
【００１８】
一方、第３の保持部材３の上部は従来技術で示した表示ラベル１０１Ｘの上部構造と同一の形状をしており、立板部分７の上端から所定の角度で後上方に延設された上板部分１１の中央部先端に第２の保持部材２の切欠部５に嵌め込むことのできる幅の抓持部１２と、この抓持部１２より拡幅されて切欠部５の両側のフランジ６の前面に当接して係合することのできる第２の係合部１３とを備えている。
【００１９】
したがって、表示ラベル１０１の下端を第３の保持部材３のラベル支持部９Ｌ、９Ｒに差し込んで表示ラベル１０１を支持し、この状態で第３の保持部材３の抓持部１２を摘んで下部中央の舌片８を下側に位置するボタン取付部材２０３の上板部分２０４の差込穴４に差し込み、第２の係合部１３を上側に位置するボタン取付部材２０３の下板部分２０６の切欠部５の両側のフランジ６前面に、第３の保持部材３の弾力を利用して当接係合させることで透明な前面パネル２０１の裏面に配設することができるので、表示ラベル１０１の前面パネル２０１の裏面への取り付けが極めて簡単に行える。
【００２０】
一方、第３の保持部材３の抓持部１２を摘んで下方に押せば、上板部分１１と立板部分７とが撓んで第２の係合部１３が第２の保持部材２から簡単に外れるので、第３の保持部材３は第１の保持部材１からも簡単に外すことができ、したがって表示ラベル１０１の前面パネル２０１裏面からの取り外し作業も極めて簡単に行える。
【００２１】
なお、商品選択ボタン２０２の下側に表示ラベル１０１を設置する場合には、一番下側に設置される商品選択ボタン２０２の下側に、ボタン取付部材２０３の差込穴４などを有する上板部分２０４に相当する部材を配置して第１の保持部材１を構成し、商品選択ボタン２０２の上側に表示ラベル１０１を設置する場合には、一番上側に設置される商品選択ボタン２０２の上側に、切欠部５を備えたフランジ６に相当する部材を配置して第２の保持部材２を構成し、それぞれに第３の保持部材３を着脱自在に係合して表示ラベル１０１を配設する。
【００２２】
また、本発明は上記実施例に限定されるものではないので、特許請求の範囲に記載の趣旨から逸脱しない範囲で各種の変形実施が可能である。
【００２３】
例えば、第１の保持部材１と第２の保持部材２とは、枠体によって一体化して形成されても良い。
【００２４】
また、表示ラベル１０１は、販売商品をイメージして作成したラベルと、価格を表示したラベルとの二枚組としたり、ホットとコールドとを区別するラベルなども加味した複数枚の組み合わせとしても良い。
【００２５】
このような構成にすると、価格を表示したラベルと、ホットとコールドとを区別するラベルは全商品共通であるので、これらの共通ラベルと組み合わせ使用することで、販売商品をイメージしたラベルを１枚作成するだけで、自動販売機を設置する場所によってその販売価格が変わることがあっても、また季節によって冷やして販売したり・加熱して販売する商品であっても全て対応することができるので、管理コストの削減が図れる。
【００２６】
また、本発明のラベル取付装置１００は、自動販売機２００以外のもの、例えば食券発券機などにも組み込むことができる。
【００２７】
【発明の効果】
以上説明したように本発明のラベル取付装置によれば、自動販売機の前面パネルなどへの表示ラベルの取り付け・取り外しが極めて簡単に行えるようになる。
【図面の簡単な説明】
【図１】  本発明の装置を横から見た説明図である。
【図２】  一部を切り欠いて本発明の装置を上から見た説明図である。
【図３】  本発明の装置を前から見た説明図である。
【図４】  自動販売機の説明図である。
【図５】  従来技術を示す説明図である。
【符号の説明】
１  第１の保持部材
２  第２の保持部材
３  第３の保持部材
４  差込穴
５  切欠部
６  フランジ
７  立板部分
８  舌片
９Ｌ・９Ｒ  ラベル支持部
１０Ｌ・１０Ｒ  横側端部
１１  上板部分
１２  抓持部
１３  第２の係合部
１００  ラベル取付装置
１０１  表示ラベル
２００  自動販売機
２０１  前面パネル
２０２  商品選択ボタン
２０３  ボタン取付部材
２０４  上板部分
２０５  立板部分
２０６  下板部分
【図１】
0003724229.tif 000002
【図２】
0003724229.tif 000003
【図３】
0003724229.tif 000004
【図４】
0003724229.tif 000005
【図５】
0003724229.tif 000006